(57)【要約】【課題】同一のページ内に異なる形状の写真等を収容することができ、しかもその収容作業が非常に簡単なフレキシブルアルバムを提供する。【解決手段】本発明に係るフレキシブルアルバムは、アルバム台紙２と、アルバム台紙２の少なくとも１面側に周囲の少なくとも一部が適宜固定された透明フィルム３と、これらの間に形成された袋状部分において保持されるシート４を備える。上記シート４は、基材層５と、基材層５の少なくとも１面側に設けられた接着層６と、接着層６を覆う剥離可能な剥離層７と、剥離層７の一部分であって、剥離層７の他の部分から切り離してそれぞれ独立に剥離可能な複数の剥離部分７ａ、７ｂからなる。ユーザーは、任意の剥離部分７ａ、７ｂを剥離して接着層６を露出させ、これと透明フィルム３とを接着することにより、袋状部分を被収容物の形状に合わせた複数のポケットに分割することができる。【選択図】図１
2008296545.tif 000002
【特許請求の範囲】
【請求項１】
ポケット内に被収容物を収容するアルバムであって、
アルバム台紙と、
前記アルバム台紙の少なくとも一面側に周囲の少なくとも一部が適宜固定された透明フィルムと、
前記アルバム台紙と前記透明フィルムの間に形成された袋状部分において保持されるシートと、
を備え、
前記シートは、
基材層と、
前記基材層の少なくとも１面側に設けられた接着層と、
前記接着層を覆う剥離可能な剥離層と、
前記剥離層の一部分であって、前記剥離層の他の部分から切り離して、それぞれ独立に剥離可能な複数の剥離部分と、
からなり、
任意の前記剥離部分を剥離して前記接着層を露出させ、露出した前記接着層と前記透明フィルムとを接着することにより、前記袋状部分を前記被収容物の形状に合わせた複数の前記ポケットに分割できるようになっていることを特徴とするフレキシブルアルバム。
【請求項２】
ポケット内に被収容物を収容するアルバムであって、
アルバム台紙と、
前記アルバム台紙の少なくとも一面側に周囲の少なくとも一部が適宜固定された透明フィルムと、
前記アルバム台紙及び前記透明フィルムを貫通する複数の取付穴と、
前記取付穴に挿入され、前記アルバム台紙及び前記透明フィルムを挟み込むように取り付けられる留め具と、
を備え、
任意の前記取付穴に前記留め具を取り付けることにより、前記袋状部分を前記被収容物の形状に合わせた複数の前記ポケットに分割できるようになっていることを特徴とするフレキシブルアルバム。
【発明の詳細な説明】
【技術分野】
【０００１】
本発明は、同一のページに、形状が異なる写真等を混在して収容可能なアルバムに関する。
【背景技術】
【０００２】
アルバムに収容される写真の形状には、代表的なものだけでも、Ｌ版、２Ｌ版、パノラマサイズ等がある。また、いずれの形状においても、撮影対象に応じて、縦使い及び横使いがある。さらにアルバムには、これらの写真とともに、写真とは形状が全く異なるネガや旅行先のパンフレット等を収納したいという要求がある。
【０００３】
従来、種々の形状の写真等を自由に収容可能なアルバムとしては、いわゆるフリー台紙タイプのものがある。図６に示すように、このタイプのアルバム２０は、アルバム台紙２１のほぼ全域に感圧接着剤２２が塗布されており、そこに透明フィルム２３が貼着されている。このアルバム２０における写真等Ｐの収容は、透明フィルム２３をめくり上げ、所望の位置に写真等Ｐを配置した後に、透明フィルム２３を再びアルバム台紙２１に貼り合わせて行われる。
【０００４】
また、他の従来のアルバムとしては、アルバム台紙と透明フィルムによって予め写真等を収容するためのポケットが形成されたタイプのものがある。図７に示すこのタイプのアルバム３０では、アルバム台紙３１と透明フィルム３２をいくつかの固定領域３３で固定することにより、アルバム台紙３１と透明フィルム３２の間に袋状部分が形成され、それが写真等Ｐを収容するための複数のポケットに分割されている。そして、写真等Ｐは、挿入口３４ａまたは３４ｂからポケットに挿入されるようになっている（例えば、特許文献１参照）。
【特許文献１】実用新案登録第３０１６３２９号
【発明の開示】
【発明が解決しようとする課題】
【０００５】
図６に示すフリー台紙タイプのアルバム２０によれば、アルバム台紙２１上の感圧接着剤２２が塗布された領域内において、形状が異なる種々の写真等Ｐを収容することができる。しかしながら、このタイプのアルバム２０は、写真等Ｐの収容の際に、透明フィルム２３とアルバム台紙２１との間に空気が入って透明フィルム２３に皺ができたり、写真等Ｐとともに毛髪等の異物を挟み込んだりする場合があり、これらの点に注意しながら写真等Ｐの収容作業を行うのは非常に面倒であった。また、このアルバム２０は、感圧接着剤２２の性質上、透明フィルム２３の貼着及び剥離を行うことができる回数に制限があり、一旦収容した写真等Ｐの入れ替えや配置の変更には適していなかった。
【０００６】
一方、図７に示すアルバム３０によれば、予め形成されたポケットに差し込むだけで、簡単に写真等Ｐの収容を行うことができる。しかしながら、このアルバム３０では、形成されたポケットに収容されるべき写真等Ｐの形状が予め想定されており、想定された形状と異なる写真等Ｐを収容するのは不可能であるか、または適していなかった。
【０００７】
そこで本発明は、同一のページ内に異なる形状の写真等を収容することができ、しかもその収容作業が非常に簡単なフレキシブルアルバムを提供することを課題とする。
さらに本発明は、一旦収容した写真等の入れ替えや配置の変更を繰り返し行うことができるフレキシブルアルバムを提供することを課題とする。
【課題を解決するための手段】
【０００８】
上記課題を解決するために、第１の発明に係るフレキシブルアルバムは、
ポケット内に被収容物を収容するアルバムであって、アルバム台紙と、前記アルバム台紙の少なくとも一面側に周囲の少なくとも一部が適宜固定された透明フィルムと、前記アルバム台紙と前記透明フィルムの間に形成された袋状部分において保持されるシートを備え、前記シートは、基材層と、前記基材層の少なくとも１面側に設けられた接着層と、前記接着層を覆う剥離可能な剥離層と、前記剥離層の一部分であって、前記剥離層の他の部分から切り離して、それぞれ独立に剥離可能な複数の剥離部分からなり、任意の前記剥離部分を剥離して前記接着層を露出させ、露出した前記接着層と前記透明フィルムとを接着することにより、前記袋状部分を前記被収容物の形状に合わせた複数の前記ポケットに分割できるようになっていることを特徴とする。
【０００９】
また、第２の発明に係るフレキシブルアルバムは、
ポケット内に被収容物を収容するアルバムであって、アルバム台紙と、前記アルバム台紙の少なくとも一面側に周囲の少なくとも一部が適宜固定された透明フィルムと、前記アルバム台紙及び前記透明フィルムを貫通する複数の取付穴と、前記取付穴に挿入され、前記アルバム台紙及び前記透明フィルムを挟み込むように取り付けられる留め具を備え、任意の前記取付穴に前記留め具を取り付けることにより、前記袋状部分を前記被収容物の形状に合わせた複数の前記ポケットに分割できるようになっていることを特徴とする。
【００１０】
なお、本明細書中の用語「写真等」には、写真及び、写真以外のあらゆる紙類、シート類、カード類が含まれる。例えば、ネガ、旅行先のパンフレット、コンサートのチケットが「写真等」に含まれるものとする。
また、用語「形状」にはサイズが含まれており、例えば、“形状が異なる写真”には、 “相似形であって、サイズのみが異なる写真”も含まれるものとする。
また、用語「ポケット」は、被収容物（写真等）をその内部に留めておくことができるような空間を意味し、その開口部以外の部分が完全に閉じられていないものも含まれるものとする。同様に、用語「袋状部分」は、被収容物の動きを制限し、被収容物をその内部に留めておくことができるような空間を意味する。
【発明の効果】
【００１１】
第１の発明によれば、同一のページ内に異なる形状の写真等を収容することができ、しかもその収容作業が非常に簡単なフレキシブルアルバムを提供することができる。さらに第２の発明によれば、上記効果に加え、一旦収容した写真等の入れ替えや配置の変更を繰り返し行うこともできるフレキシブルアルバムを提供することができる。
【発明を実施するための最良の形態】
【００１２】
以下、添付図面を参照しつつ、本発明に係るフレキシブルアルバムの好ましい実施の形態について説明する。
【実施例１】
【００１３】
図１に、実施例１に係るフレキシブルアルバムを示す。図１（Ａ）はフレキシブルアルバムの平面図、図１（Ｂ）は図１（Ａ）のフレキシブルアルバムをＢ方向から見た断面図である。
本実施例に係るフレキシブルアルバム１は、主に、アルバム台紙２と、アルバム台紙２の表面２ａ及び裏面２ｂ側にフィルム接着部１６で固定されるか、またはアルバム台紙２と一体成型される透明フィルム３と、アルバム台紙２及び透明フィルム３の間に形成された袋状部分に差し込まれて保持されるシート４と、からなる。本実施例では、透明フィルム３の３辺がアルバム台紙２に固定されている。
【００１４】
図１（Ｂ）に示すように、シート４は、基材層５と、基材層５の一面側に形成された接着層６と、接着層６を覆う剥離可能な剥離層７と、からなる。剥離層７の一部には、他の部分とＶカット１０で分割された帯状の第１剥離部分７ａ及び第２剥離部分７ｂが形成されている。Ｖカット１０は、剥離層７の一部分のみの剥離を可能にするために設けられたものである。また、Ｖカット１０は、例えばミシン目等の他の分割手段に置き換えることができる。
【００１５】
本実施例では、表面２ａ側において保持されるシート４の第２剥離部分７ｂを剥離し、表面２ｂ側において保持されるシート４の第１剥離部分７ａを剥離している。第１剥離部分７ａ及び第２剥離部分７ｂが剥離されたシート４は、当該剥離部分の接着層６が露出した状態となる。このシート４を、アルバム台紙２と透明フィルム３の間に差し込むと、表面２ａ側の透明フィルム３は、第２剥離部分７ｂの剥離によって露出した接着層６に接着され、接着領域８が形成される。一方、表面２ｂ側では、透明フィルム３と第１剥離部分７ａの剥離によって露出した接着層６が接着され、接着領域８が形成される。そして、アルバム台紙２と透明フィルム３の間に形成された袋状部分は、接着領域８によって複数のポケットに分割される。
【００１６】
結局、本実施例に係るフレキシブルアルバム１によれば、ページ毎に異なった形状のポケットを形成することができ、図２に示すように、各ポケットに形状が異なる写真等Ｐを収容することができる。
なお、図１及び図２では、一例として剥離層７に帯状の第１剥離部分７ａと第２剥離部分７ｂを形成したが、剥離部分の形状及び数量は任意に変更することができる。また、形成された複数の剥離部分のうち、どの剥離部分を剥離して、どのような形状のポケットを形成するかは、ページ毎にユーザーが自由に選択することができる。
【実施例２】
【００１７】
続いて、図３を参照して、実施例２に係るフレキシブルアルバムについて説明する。図３（Ａ）はフレキシブルアルバムの平面図、図３（Ｂ）は図３（Ａ）のフレキシブルアルバムをＢ方向から見た断面図である。
実施例１に係るフレキシブルアルバム１と同様に、本実施例に係るフレキシブルアルバム１は、主に、アルバム台紙２と、アルバム台紙２の表面２ａ及び裏面２ｂ側にフィルム接着部１６で固定されるか、またはアルバム台紙２と一体成型される透明フィルム３と、アルバム台紙２及び透明フィルム３の間に形成された袋状部分に差し込まれて保持されるシート４と、からなる。本実施例では、透明フィルム３の３辺がアルバム台紙２に固定されている。
【００１８】
図３（Ｂ）に示すように、シート４は、基材層５と、基材層５の表裏面に形成された接着層６、６’と、接着層６、６’を覆う剥離可能な剥離層７、７’と、からなる。剥離層７の一部には、実施例１と同様に、他の部分とＶカット１０で分割された帯状の第１剥離部分７ａ及び第２剥離部分７ｂが形成されている。また、剥離層７’の一部には、他の部分とＶカット１０で分割された帯状の第３剥離部分７ｃが形成されている。剥離層７と７’とでは、分割の態様が異なっていることが好ましい。
【００１９】
実施例１に係るシート４に替えて実施例２に係るシート４を使用すれば、ユーザーは、収容すべき写真等Ｐの形状及び配置に応じて、剥離層７及び７’のどちら側を使用するのかを選択するとともに、選択された剥離層７または７’に形成された複数の剥離部分のうち、どの剥離部分を剥離するのかを選択することができる。これによって、ユーザーは、ページ毎に当該ページに収容すべき写真等Ｐの形状等に応じたポケットを形成することができる。
つまり、実施例２に係るフレキシブルアルバム１は、実施例１に係るフレキシブルアルバム１よりもユーザーの選択肢が多く、より多様な形状の写真等を自由な配置で収容できるアルバムといえる。
【実施例３】
【００２０】
次に、図４を参照して、実施例３に係るフレキシブルアルバムについて説明する。図４（Ａ）はフレキシブルアルバムの平面図、図４（Ｂ）は図４（Ａ）のフレキシブルアルバムをＢ方向から見た断面図である。
本実施例に係るフレキシブルアルバム１は、主に、アルバム台紙２と、アルバム台紙２の表面２ａ及び裏面２ｂ側にフィルム接着部１６で固定されるか、またはアルバム台紙２と一体成型される透明フィルム３と、からなる。本実施例では、透明フィルム３の３辺がアルバム台紙２に固定されている。
【００２１】
このフレキシブルアルバム１で使用されるアルバム台紙２及び透明フィルム３のそれぞれには取付穴１１が形成されており、そこに留め具１２が取り付けられている。図４（Ｂ）に示すように、取付穴１１に取り付けられた留め具１２は、表面２ａ側の透明フィルム３、アルバム台紙２、及び裏面２ｂ側の透明フィルム３を挟み込んだ状態となる。
【００２２】
留め具１２は、実施例１及び実施例２の接着領域８に替わるものである。留め具１２を取り付けることによって、アルバム台紙３１と透明フィルム３２の間に形成された袋状部分における写真等Ｐの動きが制限される。つまり、アルバム台紙３１と透明フィルム３２の間に形成された袋状部分は、複数のポケットに分割されることになる。
【００２３】
留め具１２としては、例えば、図５（Ａ）（Ｂ）に示すようなものが使用できる。図５（Ａ）に示す留め具１２は、留め具本体１３の先端Ｘに鍔部１４をはめ込んで固定するものである。また、図５（Ｂ）に示す留め具１２は、留め具本体１３のボルト部Ｙにナット部１５を螺合させて固定するものである。この他、実施例３に係るフレキシブルアルバム１には、従来から知られている種々の留め具１２を利用することができる。
【００２４】
本実施例では、アルバム台紙２及び透明フィルム３のそれぞれに９個の取付穴１１が３×３のマトリクス状に整然と配置されている。ユーザーは、任意の取付穴１１に留め具１２を取り付けることによって、収容したい写真等Ｐに応じた形状のポケット９を形成することができる。また、本実施例に係るフレキシブルアルバム１では、取り付けられた留め具１２を取り外して他の取付穴１１に付け替えることにより、写真等Ｐの入れ替えや配置の変更を何度でも行うことができる。
なお、図４に示した取付穴１１の配置及び数量は一例であり、任意に変更することができる。
【図面の簡単な説明】
【００２５】
【図１】実施例１に係るフレキシブルアルバムの構造を示す図であって、（Ａ）は平面図、（Ｂ）は断面図である。
【図２】実施例１に係るフレキシブルアルバム全体を示す平面図である。
【図３】実施例２に係るフレキシブルアルバムの構造を示す図であって、（Ａ）は平面図、（Ｂ）は断面図である。
【図４】実施例３に係るフレキシブルアルバムの構造を示す図であって、（Ａ）は平面図、（Ｂ）は断面図である。
【図５】実施例３に係るフレキシブルアルバムで使用される留め具の構造を例示する断面図である。
【図６】従来のアルバムを示す平面図である。
【図７】従来のアルバムを示す平面図である。
【符号の説明】
【００２６】
Ｐ      写真等
１      フレキシブルアルバム
２      アルバム台紙
３      透明フィルム
４      シート
５      基材層
６      接着層
７      剥離層
７ａ    第１剥離部分
７ｂ    第２剥離部分
７ｃ    第３剥離部分
８      接着部
９      ポケット
１０    Ｖカット
１１    取付穴
１２    留め具
１３    留め具本体
１４    鍔部
１５    ナット部
１６    フィルム接着部
【図１】
2008296545.tif 000003
【図２】
2008296545.tif 000004
【図３】
2008296545.tif 000005
【図４】
2008296545.tif 000006
【図５】
2008296545.tif 000007
【図６】
2008296545.tif 000008
【図７】
2008296545.tif 000009